(57)【要約】【課題】音源の形状及び大きさの相違に由来する歪みや濁りが無く、協和する和音が完全に融け合う美しい和音を奏でる新規な楽器を得る。【解決手段】リン棒で叩いて音を出す器状の金属製のおリンであって、音高の異なる幾つかを並べて配し、前記音高の異なる幾つかのリンの外形が同じ大きさであるもの。特に、音高の異なる幾つかのリンとして、十二音律を奏でる１２個のリンを含み、この十二音律が純正律に沿って定められたもの。【選択図】      図１
2004354679.tif 000002
【特許請求の範囲】
【請求項１】
リン棒で叩いて音を出す器状の金属製のおリンであって、音高の異なる幾つかを並べて配し、
前記音高の異なる幾つかのリンの外形が同じ大きさであることを特徴とするおリンを用いた編鐘。
【請求項２】
前記音高の異なる幾つかのリンとして、十二音律を奏でる１２個のリンを含むことを特徴とする請求項１に記載の編鐘。
【請求項３】
前記十二音律が純正律に沿って定められたことを特徴とする請求項２に記載の編鐘。
【請求項４】
前記十二音律のうち上無及び下無以外の十音律を構成する１つの音について完全５度の協和音程と完全４度の協和音程とが存在するように定められたことを特徴とする請求項３に記載の編鐘。
【請求項５】
干支の十二支に当てはめた十二音律のうちのいずれか１つの音高に対応する固有周波数を有するおリン。
【発明の詳細な説明】
【０００１】
【発明の属する技術分野】
本発明は仏具であるおリンを用いた全く新規な楽器に関するものである。
【０００２】
【従来の技術】
音楽で扱う音には、西洋のドレミファソラシドやＣＤＥＦＧＡＢというように音の高低により固有の名称がついている。このドレミファソラシドやＣＤＥＦＧＡＢを音階と言い、現在、ラ（Ａ）の音の周波数は国際標準機構（ＩＳＯ）で４４０Ｈｚと定められている。これを基準として他の音の周波数も決まる。このように基準となる音の周波数と他の音の周波数の関係を音律と言う。即ち、この音階を構成する各々の音の高さの相互関係、音程関係を規定した上で音を配列したものを音律と言う。
【０００３】
音の配列は、一義的に決まるわけではなく、歴史的にはいろいろな音律、つまり音の配列の仕方があった。代表的には、最も古いとされるピタゴラス律は、純正完全５度の積み重ねだけで音階を構成するという音律であり、もともと旋律重視の音律で、長３度ははじめから純正音程から大きくずれているため、和音は濁っている。
【０００４】
一方、現代の代表的な音律の構成としては、純正律と平均律とがある。純正律とは、３／２，４／３，５／４等の単純な周波数の比で音律を作り出したものである。平均律とは、１オクターブを何等分かしてそれを単位音程とし，単位音程をいくつか合わせて半音や全音を作るという方法である。この純正律からなる音律は、協和和音は完全にノービートで、唸ることも濁ることもない互いに完全に融け合う美しい和音になるという際立った特徴がある。
【０００５】
しかし、純正律には、調が変わると一部の音の高さが変わってしまうという致命的な問題点がある。固定ピッチの楽器では、長調から平行短調への転調ですら不可能で、そのために純正律が一般に使われることはなかった。
【０００６】
一方、現在一般に使われている平均律は、正しくは１２平均律と言う。１２平均律は，オクターブを１２等分したもので，単位音程がそのまま半音になり、全音は半音２つ分となる。ピアノのようにオクターブ相違する多数の弦が張られた楽器では、音の共鳴により美しく響き合うが、協和和音はどうしても濁りが生じる場合があるのが欠点である。
【０００７】
以上が西洋における音律であるが、東洋においても中国の音律を起源とするのが有名である。ある長さ（約１５ｃｍほどか）を仮にＩとする。このＩの竹を吹いて出た音を基準に、Ｉの「２／３」の長さをＩＩ、ＩＩの「１と１／３」の長さをＩＩＩ、ＩＩＩの「２／３」をＩＶ、ＩＶの「１と１／３」をＶというやり方で、ＸＩＩまで作って音の高低順に並べる。これが中国で生まれた「三分損益法」の１２音律であり、前述のピタゴラス律と同等の音律である。これが日本に伝わり、各音の名称は異なった。
【０００８】
これら個々の音の高さを、西洋の平均率による音程と完全に合致することは当然ながら出来ない。ちなみに西洋のＡ音の４４０Ｈｚに対して黄鐘は４３０Ｈｚである。しかし便宜上ここでは近似値を取り、黄鐘はＡ音と等しいとする。西洋ではＣの音、つまりドの音を基準とすることが多いが、日本では壱越で高さレ音を基準にする。表１に西洋音階と邦楽音階との比較を示す。
【０００９】
【表１】
2004354679.tif 000003
【００１０】
一方、仏壇に御参りする際にリン棒で叩いて音を出す器状の金属製のおリン（お仏鈴）が仏具として知られている。本出願人は、既におリンとこれを保持するリン布団と載置台とを一体化することができる仏具を出願している（特許文献１参照）。
【００１１】
【特許文献１】
実用新案登録第３００１８５９号
【００１２】
【発明が解決しようとする課題】
本発明は、音源の形状及び大きさの相違に由来する歪みや濁りが無く、協和する和音が完全に融け合う美しい和音を奏でる新規な楽器を得ることを目的とする。また、
【００１３】
【課題を解決するための手段】
請求項１に記載された発明に係るおリンを用いた編鐘は、リン棒で叩いて音を出す器状の金属製のおリンであって、音高の異なる幾つかを並べて配し、
前記音高の異なる幾つかのリンの外形が同じ大きさであることを特徴とするものである。
【００１４】
請求項２に記載された発明に係るおリンを用いた編鐘は、請求項１に記載の音高の異なる幾つかのリンとして、十二音律を奏でる１２個のリンを含むことを特徴とするものである。
【００１５】
請求項３に記載された発明に係るおリンを用いた編鐘は、請求項１に記載の十二音律が純正律に沿って定められたことを特徴とするものである。
【００１６】
請求項４に記載された発明に係るおリンを用いた編鐘は、請求項３に記載の十二音律のうち上無及び下無以外の十音律を構成する１つの音について完全５度の協和音程と完全４度の協和音程とが存在するように定められたことを特徴とするものである。
【００１７】
請求項５に記載された発明に係るおリンは、干支の十二支に当てはめた十二音律のうちのいずれか１つの音高に対応する固有周波数を有するものである。
【００１８】
【発明の実施の形態】
本発明においては、音高の異なる幾つかのおリンを並べて配した編鐘に関し、特に、これら音高の異なる幾つかのリンの外形が同じ大きさである。このため、個々のおリンのどれを叩いても、音源となるおリンの外形が同じ大きさであるため、音源の形状及び大きさの相違に由来する歪みや濁りが無く、協和する和音が完全に融け合う美しい和音になる特徴がある。
【００１９】
本発明における編鐘でのおリンの配し方は支持台の上に載置しても良いし、吊下げた形でも良いが、吊下げた形の方が音源が微妙に揺れてこれが和音の揺れにつながり良好である。また、音高の相違するおリンの配し方は、一列に並べても良いし、互い違いに２列や２段に並べても良いし、ピアノの鍵盤のごとく全音と半音とに分けて２列や２段に並べても良い。
【００２０】
本発明の編鐘での音高の相違するおリンは、厚み等を変更し、個々の音高を相違させる。相違させた音高としては、十二音律を奏でる１２個のおリンを含むものが好ましい。これは西洋及び東洋の音律と同じ個数であり、個々の音律を構成する音程は微妙に相違しても、近似的な演奏が可能だからである。
【００２１】
特に、この十二音律が純正律に沿って定められたものは、演奏するに従い前に叩いた音と次に叩いた音とが、協和して奏でる和音が完全に融け合い、更に奥行きのある美しい和音になる特徴がある。
【００２２】
より具体的には、十二音律のうち上無及び下無以外の十音律を構成する１つの音について完全５度の協和音程と完全４度の協和音程とが存在するように定められたものである。
【００２３】
このようにして個々に定まった周波数のおリンを干支の十二支に当てはめ、仏壇に安置されている位牌に縁のある固有周波数のおリンを配し、お参りする際にこれを鳴らすようにしても良い。
【００２４】
【実施例】
図１は本発明のおリンを用いた編鐘の一実施例の構成を示す説明図である。図に示す通り、本実施例の編鐘１０は、上部６個下部６個のおリン１１を伏せて中心軸線上に孔を開け、その孔に紐１２を通して基台１３に吊下げている。
【００２５】
個々のおリン１１は、演奏者から向かって上段左から、ａ．神仙（シンセン）、ｂ．上無（カミム）、ｃ．壱越（イチコツ）、ｄ．断金（タンギン）、ｅ．平調（ヒョウジョウ）、ｆ．勝絶（ショウゼツ）となり、下段左からｇ．下無（シモム）、ｈ．双調（ソウジョウ）、ｉ．鳧鐘（フショウ）、ｊ．黄鏡（オウシキ）、ｋ．鸞鏡（ランケイ）、ｌ．盤渉（バンシキ）の音高のものが配されている。
【００２６】
個々のおリン１１は、肉厚を変化させることにより、音高を調整しているため、外観は同一の形状をしている。これにより、個々のおリンのどれを叩いても、音源となるおリンの外形が同じ大きさであるため、音源の形状及び大きさの相違に由来する歪みや濁りが無く、協和する和音が完全に融け合う美しい和音になる。
【００２７】
個々のおリン１１の具体的な音高の周波数を記載した音律表と実際の計測値とを表２に示す。表２に示す通り、本実施例のおリンの音律は通常の西洋音律とは相違する。本実施例の音律は完全５度の協和音程（２つの音の周波数の比が２：３）と完全４度の協和音程（２つの音の周波数の比が３：４）とが存在するように定められている。図２は本発明の一実施例の編鐘の音律の決定を示した説明図である。
【００２８】
図２に示す通り、黄鏡が  ４３０Ｈｚであることは前述の通りであるため、この黄鏡を基準の音とし、この黄鏡に対して完全５度の協和和音を求めると  ２８６．６Ｈｚの壱越が求まる（即ち、壱越：黄鏡＝２８６．６Ｈｚ：４３０Ｈｚ＝２：３）。同様に黄鏡に対して完全４度の協和和音を求めると  ３２２．５Ｈｚの平調が求まる（即ち、平調：黄鏡＝３２２．５Ｈｚ：４３０Ｈｚ＝３：４）。求められた壱越又は平調についても同様に完全４度又は完全５度の協和和音を求める。そうすると、壱越から双調、神仙、勝絶、鸞鏡、断金、鳬鐘、上無が順に求まる。また、平調から盤渉、下無が順に求まる。
【００２９】
【表２】
2004354679.tif 000004
【００３０】
以上のように、本編鐘の音律は完全５度の協和和音と完全４度の協和和音とで定められているので、演奏するに従い前に叩いた音と次に叩いた音とが、協和して奏でる和音が完全に融け合い、更に奥行きのある美しい和音になる。
【００３１】
このような固有の周波数を有する１２音律を干支の十二支に当てはめ、個々のおリンを仏壇に配しても良い。
【００３２】
【発明の効果】
本発明は以上説明した通り、音源の形状及び大きさの相違に由来する歪みや濁りが無く、協和する和音が完全に融け合う美しい和音を奏でる新規な楽器を得ることができるという効果がある。
【図面の簡単な説明】
【図１】本発明のおリンを用いた編鐘の一実施例の構成を示す説明図である。
【図２】本発明の一実施例の編鐘の音律の決定を示した説明図である。
【符号の説明】
１０…編鐘、
１１…おリン、
１２…紐、
１３…基台、
【図１】
2004354679.tif 000005
【図２】
2004354679.tif 000006